(57)【要約】【課題】本発明は、ハイブリッドディスクのバックアップを作成し、原本を保全することが効率良く可能となり、不用意にハイブリッドディスクの複製が作成されてしまうことを防ぐことが可能となるハイブリッドディスクのバックアップ方法及び該方法を実行するためのプログラムを格納したコンピュータ読み取り可能な記憶媒体を提供することを目的とする。【解決手段】本発明のハイブリッドディスクのバックアップ方法では、複製元ディスク及び複製先ディスクが共にハイブリッドディスクである場合に、複製元ハイブリッドディスクに記録されている情報を読み出す。そして、複製先ハイブリッドディスクのＲＡＭ部に書き込み、ハイブリッドディスクの複製を作成する。【選択図】　　　　図２
2004070999.tif 000002
【特許請求の範囲】
【請求項１】
複数の記憶領域を有する記録媒体であって、データが予めスタンプされた読み取り専用記憶領域と、該読み取り専用記憶領域の他の記憶領域であって書き込み可能な書き込み可能記憶領域とを有するハイブリッドディスクの複製を作成するハイブリッドディスクのバックアップ方法において、
複製元ディスク及び複製先ディスクが共にハイブリッドディスクである場合に、複製元ハイブリッドディスクに記録されている情報を読み出し、複製先ハイブリッドディスクの前記書き込み可能記憶領域に書き込み、ハイブリッドディスクの複製を作成することを特徴とするハイブリッドディスクのバックアップ方法。
【請求項２】
複製元ディスク及び複製先ディスクが共にハイブリッドディスクであり、かつ複製元ハイブリッドディスクと複製先ハイブリッドディスクの前記各読み取り専用記憶領域に同一の情報が記録されている場合に、複製元ハイブリッドディスクに記録されている情報を読み出し、複製先ハイブリッドディスクの前記書き込み可能記憶領域に書き込み、ハイブリッドディスクの複製を作成する請求項１記載のハイブリッドディスクのバックアップ方法。
【請求項３】
複製元ディスク及び複製先ディスクが共にハイブリッドディスクであり、かつ複製元ハイブリッドディスクと複製先ハイブリッドディスクの前記各読み取り専用記憶領域に同一の情報が記録されていなくても、複製先ハイブリッドディスクの前記読み取り専用記憶領域に記録されているデータがダミーデータであれば、複製元ハイブリッドディスクの前記読み取り専用記憶領域及び前記書き込み可能記憶領域に記録されている情報をそれぞれ読み出し、複製先ハイブリッドディスクの前記書き込み可能記憶領域に書き込み、ハイブリッドディスクの複製を作成する請求項２記載のハイブリッドディスクのバックアップ方法。
【請求項４】
請求項１〜３のいずれかに記載のハイブリッドディスクのバックアップ方法を実行するためのプログラムを格納したコンピュータ読み取り可能な記憶媒体。
【発明の詳細な説明】
【０００１】
【発明の属する技術分野】
本発明はハイブリッドディスクのバックアップ方法及び該方法を実行するためのプログラムを格納したコンピュータ読み取り可能な記憶媒体に関し、詳細には複数の記憶領域を持ち、読み取り専用記憶領域と書き込み可能記憶領域を有するハイブリッドディスクの複製を作成する方法に関する。
【０００２】
【従来の技術】
従来、アプリケーションソフトウェア、静止画、動画などのコンテンツは、ＣＤ−ＲＯＭなどの媒体に記録されて配布（販売）されるのが一般的である。中でもコンパクトディスクの分野では、近年、読み取り専用記憶領域（以下ＲＯＭ部と称す）と、書き込み可能領域もしくは書き換え可能領域（以下ＲＡＭ部と称す）を持つハイブリッドディスクが開発されている。このハイブリッドディスクを上記ＣＤ−ＲＯＭの代替として、ハイブリッドディスクのＲＯＭ部に予めコンテンツを書き込んだ状態で配布（販売）することが提案されている。このようなハイブリッドディスクでは、既存のディスクとの互換性を確保するために、１ｓｔセッションをＲＯＭ部としてスタンプし、それ以降の領域をＲＡＭ部として扱うものがある。このようにすることにより、ハイブリッドディスクを認識できないシステムにおいても、当該ディスクをマルチセッション記録されたディスクとして取り扱うことが可能となるので、少なくとも読み取り互換性を確保することが可能となる。
【０００３】
また、ハイブリッドディスクに関しては、その他のＣＤ媒体、例えばＣＤ−ＲＯＭ、ＣＤ−Ｒ、ＣＤ−ＲＷなどと区別するための方法として、ハイブリッドディスク上にハイブリッドディスクであることを示す情報がスタンプされているという方法が提案されている。
【０００４】
このようなＣＤ媒体のディスクでは、記録されているデータがデジタルデータであり、複製による劣化が生じないことから、バックアップを作成して原本の保全を行うケースが多く見うけられる。これらのバックアップ作成には、記録済み媒体を、未記録媒体に複製するケースが一般的である。
【０００５】
【発明が解決しようとする課題】
このような場合、複製先のディスクはＣＤ−ＲもしくはＣＤ−ＲＷディスクであり、ハイブリッドディスクではないため、例えばハイブリッドディスク特有の情報を使用してプロテクトが掛けられているような場合には、バックアップとして使用することはできない。また、複製先のディスクにハイブリッドディスクを使用する場合、記録済み媒体を一部記録済みの媒体へコピーすることになるが、従来のバックアップアプリケーションでは、このようなケースは考慮されていない。更に、ハイブリッドディスクは、ＲＯＭ部とＲＡＭ部を持つ構成のため、一般的に両者の情報は関連性が深い。そのため、不用意にハイブリッドディスク間の複製が行われることは望ましくない。
【０００６】
本発明はこれらの問題点を解決するためのものであり、ハイブリッドディスクのバックアップを作成し、原本を保全することが効率良く可能となり、不用意にハイブリッドディスクの複製が作成されてしまうことを防ぐことが可能となるハイブリッドディスクのバックアップ方法及び該方法を実行するためのプログラムを格納したコンピュータ読み取り可能な記憶媒体を提供することを目的とする。
【０００７】
【課題を解決するための手段】
前記問題点を解決するために、本発明のハイブリッドディスクのバックアップ方法によれば、複製元ディスク及び複製先ディスクが共にハイブリッドディスクである場合に、複製元ハイブリッドディスクに記録されている情報を読み出し、複製先ハイブリッドディスクのＲＡＭ部に書き込み、ハイブリッドディスクの複製を作成する。よって、ハイブリッドディスクをハイブリッドディスクに複製することが可能となるので、ハイブリッドディスクのバックアップを作成し、原本を保全することが可能となる。また、非ハイブリッドディスクに対してのデータ複製を行わないので、使用不可能なバックアップディスクを作成してしまうことを防ぐことができる。
【０００８】
また、複製元ディスク及び複製先ディスクが共にハイブリッドディスクであり、かつ複製元ハイブリッドディスクと複製先ハイブリッドディスクの各ＲＯＭ部に同一の情報が記録されている場合に、複製元ハイブリッドディスクに記録されている情報を読み出し、複製先ハイブリッドディスクのＲＡＭ部に書き込み、ハイブリッドディスクの複製を作成する。よって、複製元と複製先の各ＲＯＭ部の一致性を確認してから複製が作成されるので、不用意にハイブリッドディスクの複製が作成されてしまうことを防ぐことが可能となる。
【０００９】
更に、複製元ディスク及び複製先ディスクが共にハイブリッドディスクであり、かつ複製元ハイブリッドディスクと複製先ハイブリッドディスクの各ＲＯＭ部に同一の情報が記録されていなくても、複製先ハイブリッドディスクのＲＯＭ部に記録されているデータがダミーデータであれば、複製元ハイブリッドディスクのＲＯＭ部及びＲＡＭ部に記録されている情報をそれぞれ読み出し、複製先ハイブリッドディスクのＲＡＭ部に書き込み、ハイブリッドディスクの複製を作成する。よって、複製元と複製先のＲＯＭ部のデータが同一なディスクを用意しなくともハイブリッドディスクの複製を作成することが可能となり、複製のために複製先と同一データを保持するハイブリッドディスクを要する、非効率的な状況を解消することができる。
【００１０】
また、別の発明として、上記記載のハイブリッドディスクのバックアップ方法を実行するためのプログラムを格納したコンピュータ読み取り可能な記憶媒体を用いることにより、既存のシステムを変えることなく、かつハイブリッドディスクのバックアップシステムを構築する装置を汎用的に使用することができる。
【００１１】
【発明の実施の形態】
本発明のハイブリッドディスクのバックアップ方法では、複製元ディスク及び複製先ディスクが共にハイブリッドディスクである場合に、複製元ハイブリッドディスクに記録されている情報を読み出す。そして、複製先ハイブリッドディスクのＲＡＭ部に書き込み、ハイブリッドディスクの複製を作成する。
【００１２】
【実施例】
図１は本発明を適用するハイブリッドディスクの構成を示す平面図である。同図において、本発明のバックアップ方法を適用するハイブリッドディスク１０は、予めアプリケーションソフトウェアやデータがスタンプされた読み取り専用記憶領域であるＲＯＭ部１１と、書き込み可能記憶領域であるＲＡＭ部１２とを具備している。また、ハイブリッドディスク１０には、当該ディスク上に、ハイブリッドディスクであることを示す情報がスタンプされて形成されている。ハイブリッドディスクであることを示す情報の例としては、ＡＴＩＰ（Ａｂｓｏｌｕｔｅ　Ｔｉｍｅ　Ｉｎ　Ｐｒｅ−ｇｒｏｏｖｅ）のＤｉｓｃ　Ａｐｐｌｉｃａｔｉｏｎ　Ｃｏｄｅなどがある。
【００１３】
次に、本発明の一実施例に係るハイブリッドディスクのバックアップ方法の手順について、動作フロー示す図２に従って説明する。
先ず、バックアップ処理を開始すると、複製元ディスクにスタンプされたハイブリッドディスクであることを示す情報に基づいて複製元ディスクがハイブリッドディスクであるかどうかを確認する（ステップＳ１０１）。複製元ディスクがハイブリッドディスクであった場合（ステップＳ１０１；ＹＥＳ）、次に複製先ディスクにスタンプされたハイブリッドディスクであることを示す情報に基づいて複製先ディスクがハイブリッドディスクであるかどうかを確認する（ステップＳ１０２）。複製先ディスクもハイブリッドディスクであった場合（ステップＳ１０２；ＹＥＳ）、複製元ハイブリッドディスクに記録されている情報を読み出し（ステップＳ１０３）、複製先ハイブリッドディスクに対して書き込みを行う（ステップＳ１０４）。
【００１４】
また、本実施例のハイブリッドディスクのバックアップ方法の別の手順について、動作フロー示す図３に従って説明する。
先ず、バックアップ処理を開始すると、複製元ディスクにスタンプされたハイブリッドディスクであることを示す情報に基づいて複製元ディスクがハイブリッドディスクであるかどうかを確認する（ステップＳ２０１）。複製元ディスクがハイブリッドディスクであった場合（ステップＳ２０１；ＹＥＳ）、次に複製先ディスクにスタンプされたハイブリッドディスクであることを示す情報に基づいて複製先ディスクがハイブリッドディスクであるかどうかを確認する（ステップＳ２０２）。複製先ディスクもハイブリッドディスクであった場合（ステップＳ２０２；ＹＥＳ）、複製元ハイブリッドディスクに記録されているＲＯＭ部の情報と複製先ハイブリッドディスクのＲＯＭ部に記録されている情報を比較し（ステップＳ２０３）、これが同一であった場合（ステップＳ２０３；ＹＥＳ）、複製元ハイブリッドディスクのＲＡＭ部に記録されている情報を読み出し（ステップＳ２０４）、複製先ハイブリッドディスクに対して書き込みを行う（ステップＳ２０５）。
【００１５】
更に、本実施例のハイブリッドディスクのバックアップ方法の更に別の手順について、動作フロー示す図４に従って説明する。
先ず、バックアップ処理を開始すると、複製元ディスクにスタンプされたハイブリッドディスクであることを示す情報に基づいて複製元ディスクがハイブリッドディスクであるかどうかを確認する（ステップＳ３０１）。複製元ディスクがハイブリッドディスクであった場合（ステップＳ３０１；ＹＥＳ）、次に複製先ディスクにスタンプされたハイブリッドディスクであることを示す情報に基づいて複製先ディスクがハイブリッドディスクであるかどうかを確認する（ステップＳ３０２）。複製先ディスクもハイブリッドディスクであった場合（ステップＳ３０２；ＹＥＳ）、複製元ハイブリッドディスクに記録されているＲＯＭ部の情報と複製先ハイブリッドディスクのＲＯＭ部に記録されている情報を比較し（ステップＳ３０３）、これが同一であった場合（ステップＳ３０３；ＹＥＳ）、複製元ハイブリッドディスクのＲＡＭ部に記録されている情報を読み出す（ステップＳ３０４）。一方、同一でなかった場合（ステップＳ３０３；ＮＯ）、複製先ハイブリッドディスクのＲＯＭ部に格納されているデータがダミーデータであるかどうかを確認する（ステップＳ３０５）。複製先ハイブリッドディスクのＲＯＭ部に格納されているデータがダミーデータであった場合（ステップＳ３０５；ＹＥＳ）、複製元ハイブリッドディスクのＲＯＭ部・ＲＡＭ部の情報を読み出す（ステップＳ３０６）。そして、読み出された情報を、複製先ハイブリッドディスクに対して書き込みを行う（ステップＳ３０７）。
【００１６】
次に、図５は本発明のシステム構成を示すブロック図である。つまり、同図は上記実施例におけるハイブリッドディスクのバックアップ方法によるソフトウェアを実行するマイクロプロセッサ等から構築されるハードウェアを示すものである。同図において、ハイブリッドディスクのバックアップシステムはインターフェース（以下Ｉ／Ｆと略す）５１、ＣＰＵ５２、ＲＯＭ５３、ＲＡＭ５４、表示装置５５、ハードディスク５６、キーボード５７及びＣＤ−ＲＯＭドライブ５８を含んで構成されている。また、汎用の処理装置を用意し、ＣＤ−ＲＯＭ５９などの読取可能な記憶媒体には、本発明のハイブリッドディスクのバックアップ方法を実行するプログラムが記憶されている。更に、Ｉ／Ｆ５１を介して外部装置から制御信号が入力され、キーボード５７によって操作者による指令又は自動的に本発明のプログラムが起動される。そして、ＣＰＵ５２は当該プログラムに従って上述のハイブリッドディスクのバックアップ方法に伴うバックアップ処理を施し、その処理結果をＲＡＭ５４やハードディスク５６等の記憶装置に格納し、必要により表示装置５５などに出力する。以上のように、本発明のハイブリッドディスクのバックアップ方法を実行するプログラムが記憶した媒体を用いることにより、既存のシステムを変えることなく、ハイブリッドディスクのバックアップシステムを汎用的に構築することができる。
【００１７】
なお、本発明は上記実施例に限定されるものではなく、特許請求の範囲内の記載であれば多種の変形や置換が可能であることは言うまでもない。
【００１８】
【発明の効果】
以上説明したように、本発明のハイブリッドディスクのバックアップ方法によれば、複製元ディスク及び複製先ディスクが共にハイブリッドディスクである場合に、複製元ハイブリッドディスクに記録されている情報を読み出し、複製先ハイブリッドディスクの書き込み可能記憶領域に書き込み、ハイブリッドディスクの複製を作成する。よって、ハイブリッドディスクをハイブリッドディスクに複製することが可能となるので、ハイブリッドディスクのバックアップを作成し、原本を保全することが可能となる。また、非ハイブリッドディスクに対してのデータ複製を行わないので、使用不可能なバックアップディスクを作成してしまうことを防ぐことができる。
【００１９】
また、複製元ディスク及び複製先ディスクが共にハイブリッドディスクであり、かつ複製元ハイブリッドディスクと複製先ハイブリッドディスクの読み取り専用記憶領域に同一の情報が記録されている場合に、複製元ハイブリッドディスクに記録されている情報を読み出し、複製先ハイブリッドディスクの書き込み可能記憶領域に書き込み、ハイブリッドディスクの複製を作成する。よって、複製元と複製先の各読み取り専用記憶領域の一致性を確認してから複製が作成されるので、不用意にハイブリッドディスクの複製が作成されてしまうことを防ぐことが可能となる。
【００２０】
更に、複製元ディスク及び複製先ディスクが共にハイブリッドディスクであり、かつ複製元ハイブリッドディスクと複製先ハイブリッドディスクの読み取り専用記憶領域に同一の情報が記録されていなくても、複製先ハイブリッドディスクの読み取り専用記憶領域に記録されているデータがダミーデータであれば、複製元ハイブリッドディスクの読み取り専用記憶領域及び書き込み可能記憶領域に記録されている情報をそれぞれ読み出し、複製先ハイブリッドディスクの書き込み可能記憶領域に書き込み、ハイブリッドディスクの複製を作成する。よって、複製元と複製先の読み取り専用記憶領域のデータが同一なディスクを用意しなくともハイブリッドディスクの複製を作成することが可能となり、複製のために複製先と同一データを保持するハイブリッドディスクを要する、非効率的な状況を解消することができる。
【００２１】
また、別の発明として、上記記載のハイブリッドディスクのバックアップ方法を実行するためのプログラムを格納したコンピュータ読み取り可能な記憶媒体を用いることにより、既存のシステムを変えることなく、かつハイブリッドディスクのバックアップシステムを汎用的に構築することができる。
【図面の簡単な説明】
【図１】本発明を適用するハイブリッドディスクの構成を示す平面図である。
【図２】本発明の一実施例に係るハイブリッドディスクのバックアップ方法の手順を示すフローチャートである。
【図３】本実施例に係るハイブリッドディスクのバックアップ方法の別の手順を示すフローチャートである。
【図４】本実施例に係るハイブリッドディスクのバックアップ方法の更に別の手順を示すフローチャートである。
【図５】本発明のシステム構成を示すブロック図である。
【符号の説明】
１０；ハイブリッドディスク、１１；ＲＯＭ部、１２；ＲＡＭ部。
【図１】
2004070999.tif 000003
【図２】
2004070999.tif 000004
【図３】
2004070999.tif 000005
【図４】
2004070999.tif 000006
【図５】
2004070999.tif 000007